(57)【要約】【課題】植物油由来原料を用いて製造し得る印刷インキ用有機溶剤組成物であって、乾燥性に優れる印刷インキ用有機溶剤組成物の提供【解決手段】炭素数８〜１８のアルコールにアルキレンオキサイドが付加したアルキレンオキサイド付加物と、炭素数４〜１８のアルコール、及び／又は、アルコール成分とカルボン酸成分とから構成される合計炭素数２〜１２のエステルとを含有する印刷インキ用有機溶剤組成物であって、前記炭素数８〜１８のアルコール、前記炭素数４〜１８のアルコール、及び前記合計炭素数２〜１２のエステルの原料であるアルコール及び又はカルボン酸のいずれか１種が少なくとも植物由来原料である印刷インキ用有機溶剤組成物。【選択図】なし【特許請求の範囲】
【請求項１】
炭素数８〜１８のアルコールにアルキレンオキサイドが付加したアルキレンオキサイド付加物と、炭素数４〜１８のアルコール、及び／又は、アルコール成分とカルボン酸成分とから構成される合計炭素数２〜１２のエステルとを含有する印刷インキ用有機溶剤組成物であって、
前記炭素数８〜１８のアルコール、前記炭素数４〜１８のアルコール、及び前記合計炭素数２〜１２のエステルの原料であるアルコール及び又はカルボン酸のいずれか１種が少なくとも植物由来原料である、印刷インキ用有機溶剤組成物。
【請求項２】
前記アルキレンオキサイド付加物が下記式（Ｉ）で表され、合計炭素数が２〜１２のエステルが下記式（ＩＩ）で表される、請求項１記載の印刷インキ用有機溶剤組成物。
R1-O-(AO)n-H    （Ｉ）
R2-COO-R3    （ＩＩ）
［上記式（Ｉ）において、Ｒ1は炭素数８〜１８のアルキル又はアルケニル基を表し、ＡＯは炭素数２〜４のオキシアルキレン基を表し、ｎはＡＯの平均付加モル数であって０．１〜２．０の数であり、
上記式（ＩＩ）において、Ｒ2は水素原子、又は、ヒドロキシ若しくは炭素数１〜４のアルコキシ基で置換されてもよい炭素数１〜１０のアルキル若しくは炭素数２〜１０のアルケニル基を表し、Ｒ3は炭素数１〜６のアルキル基を表す。］
【請求項３】
前記炭素数８〜１８のアルコール、前記炭素数４〜１８のアルコール、及び前記炭素数２〜１２のエステルを構成するアルコール成分及びカルボン酸成分のいずれもが植物由来原料を用いて得られものである、請求項１又は２に記載の印刷インキ用有機溶剤組成物。
【請求項４】
熱重量測定法（Ｔｈｅｒｍｏｇｒａｖｉｍｅｔｒｙ）で測定される完全分解温度が、１４０〜２３０℃である、請求項１から３のいずれかに記載の印刷インキ用有機溶剤組成物。
【請求項５】
前記アルキレンオキサイド付加物の含有量（重量％）と、前記アルコール及び前記エステルの合計の含有量（重量％）との比（前記アルキレンオキサイド付加物）／（前記アルコール及び前記エステルの合計）が９５／５〜４０／６０である、請求項１〜４いずれか記載に印刷インキ用有機溶剤組成物。
【発明の詳細な説明】
【技術分野】
【０００１】
本発明は、印刷インキ用有機溶剤組成物に関する。
【背景技術】
【０００２】
印刷インキの溶剤には、従来、石油系溶剤が使用されている。一方で、環境保全や作業環境の向上の観点から、印刷インキの溶剤として植物油成分である、アマニ油、桐油、大豆油などを使用する試みもされている（特許文献１）。また、アロマフリーの溶剤として脂肪酸エステルを印刷インキ用溶媒として使用することも開示されている（特許文献２）。しかしながら、植物油をベースとしたインキ溶剤は、一般に、乾燥性が石油系溶剤と比較して十分とはいえないという問題がある。
【０００３】
乾燥性の向上を目的とした印刷インキとしては、アミン類を含む印刷インキ（特許文献３）、乳酸エステル系有機溶剤（Ａ）とジエチレングリコールアセテート系有機溶剤（Ｂ）とを含む着色組成物（特許文献４）、及び、カプロン酸等の脂肪酸エステルを含む印刷インキ（特許文献５）等が開示されている。
【先行技術文献】
【特許文献】
【０００４】
【特許文献１】特開２００５−１１３０７０号公報［要約、請求項１］
【特許文献２】特開２００５−１０５２７３号公報［要約］
【特許文献３】特開平３−２６９０７０号公報［請求項１、発明の効果］
【特許文献４】特開２００５−３３０４２２号公報［要約、請求項１］
【特許文献５】特開２００６−１７６７５４号公報［要約］
【発明の概要】
【発明が解決しようとする課題】
【０００５】
植物油由来原料を用いて製造し得る印刷インキ用有機溶剤においては、より一層の乾燥性の向上が求められている。そこで、本発明は、植物油由来原料を用いて製造し得る印刷インキ用有機溶剤組成物であって、乾燥性に優れる印刷インキ用有機溶剤組成物を提供する。
【課題を解決するための手段】
【０００６】
本発明は、炭素数８〜１８のアルコールにアルキレンオキサイドが付加したアルキレンオキサイド付加物と、炭素数４〜１８のアルコール、及び／又はアルコール成分とカルボン酸成分とから構成される合計炭素数２〜１２のエステルとを含有する印刷インキ用有機溶剤組成物であって、前記炭素数８〜１８のアルコール、前記炭素数４〜１８のアルコール、及び前記合計炭素数２〜１２のエステルの原料であるアルコール及び又はカルボン酸のいずれか１種が少なくとも植物由来原料である印刷インキ用有機溶剤組成物に関する。
【発明の効果】
【０００７】
本発明によれば、乾燥性に優れる印刷インキ用有機溶剤組成物、その製造方法、及び乾燥性に優れる印刷インキを提供しうる。
【発明を実施するための形態】
【０００８】
本発明は、所定のアルコールのアルキレンオキサイド付加物と、所定のアルコール及び／又は所定とエステルとの混合物が、印刷インキ用有機溶剤組成物として使用でき、かつ、乾燥性が優れるという知見に基づく。
【０００９】
本発明の印刷インキ用有機溶剤組成物が乾燥性に優れるという効果を奏するメカニズムの詳細は明らかでないが、乾燥性、接着性、顔料分散性等の印刷インキ用としての機能をアルコールのアルキレンオキサイド付加物が担い、乾燥性の向上をアルコール及び／又はエステルが担っていると考えられる。すなわち、アルコールのアルキレンオキサイド付加物は、その完全分解温度（後述する）がアルコール及びエステルのそれよりも相対的に高く、それ自体の乾燥性は不十分であるが、完全分解温度が相対的に低いアルコール及び／又はエステルと混合されることで、混合物としての完全分解温度が低下し、その結果、溶媒全体としての乾燥性が向上されると推定される。但し、本発明はこのメカニズムに限定されない。
【００１０】
すなわち、本発明は、炭素数８〜１８のアルコールにアルキレンオキサイドが付加したアルキレンオキサイド付加物と、炭素数４〜１８のアルコール、及び／又はアルコール成分とカルボン酸成分とから構成される合計炭素数２〜１２のエステルとを含有する印刷インキ用有機溶剤組成物であって、前記炭素数８〜１８のアルコール、前記炭素数４〜１８のアルコール、及び前記合計炭素数２〜１２のエステルの原料であるアルコール及び又はカルボン酸のいずれか１種が少なくとも植物由来原料である印刷インキ用有機溶剤組成物（以下、「本発明の有機溶剤組成物」ともいう）に関する。
【００１１】
本発明によれば、乾燥性に優れる印刷インキ用有機溶剤組成物及び／又は印刷インキを提供しうる。好ましくは、本発明によれば、石油系溶剤を含まない印刷インキ用有機溶剤組成物及び／又は印刷インキを提供しうる。より好ましくは、本発明によれば、植物油由来原料を用いて製造し得る印刷インキ用有機溶剤組成物及び／又は印刷インキを提供しうる。ここで、本明細書において「石油系溶剤」とは、原油から精製された炭化水素を主成分とする溶剤をいい、具体的には、パラフィン炭化水素、ナフテン炭化水素、芳香族炭化水素の少なくとも１つを含む。また、植物油由来原料を用いて製造し得る印刷インキ用有機溶剤組成物とは、炭素数８〜１８のアルコールにアルキレンオキサイドが付加したアルキレンオキサイド付加物における炭素数８〜１８のアルコール、炭素数４〜１８のアルコール、並びに炭素数２〜１２のエステルを構成するアルコール成分及びカルボン酸成分のいずれかが植物由来原料を用いて得られものであることを意味するものであるが、環境保全や作業環境の向上の観点から、すべて植物由来原料であることが好ましい。
【００１２】
［アルキレンオキサイド付加物］
本発明の有機溶剤組成物は、炭素数８〜１８のアルコールにアルキレンオキサイドが付加したアルキレンオキサイド付加物を含む。前記アルキレンオキサイド付加物におけるアルコールの炭素数は、印刷性及び乾燥性の向上の点から、１０〜１８が好ましく、１０〜１６がより好ましく、１０〜１４がさらに好ましい。具体的にはオクチルアルコール、デシルアルコール、ラウリルアルコール、ミリスチルアルコール、パルミチルアルコール、ステアリルアルコール、オレイルアルコール、及びこれらの混合物が好ましく、オクチルアルコール、デシルアルコール、ラウリルアルコール、ミリスチルアルコール、パルミチルアルコール及びこれらの混合物がより好ましく、デシルアルコール、ラウリルアルコール、ミリスチルアルコール、パルミチルアルコール、及びこれらの混合物がさらに好ましい。
【００１３】
前記アルキレンオキサイド付加物において、アルコールに付加されるアルキレンオキサイドとしては、印刷性及び乾燥性の向上の点から、エチレンオキサイド、プロピレンオキサイド、ブチレンオキサイド等が好ましく、プロピレンオキサイドがより好ましい。
【００１４】
前記アルキレンオキサイド付加物におけるオキシアルキレン基の平均付加モル数は、印刷性及び乾燥性の向上、及び、臭いの低減の点から、アルコール１モルに対し、０．１〜２．０モルが好ましく、０．４〜１．８モルがより好ましく、１．０〜１．６モルがさらに好ましい。
【００１５】
前記アルキレンオキサイド付加物は、一実施形態として、下記式（Ｉ）で表されるものであってもよい。
R1-O-(AO)n-H    （Ｉ）
［前記式（Ｉ）において、Ｒ1は、炭素数８〜１８のアルキル又はアルケニル基を表し、ＡＯは、炭素数２〜４のオキシアルキレン基を表し、ｎは、ＡＯの平均付加モル数であって、０．１〜２．０の数である。］
【００１６】
前記式（Ｉ）のＲ1のアルキル又はアルケニル基は、直鎖状又は分枝鎖状であってもよく、環状構造を含んでもよい。Ｒ1の炭素数は、印刷性及び乾燥性の向上の点から、１０〜１８が好ましく、１０〜１６がより好ましく、１０〜１４がさらにさらに好ましい。ＡＯの炭素数は、印刷性及び乾燥性の向上の点から、２〜３がより好ましく、３がさらに好ましい。具体的には、ＡＯとしては、印刷性及び乾燥性の向上の点から、オキシエチレン基、オキシプロピレン基、オキシブチレン基が好ましく、オキシプロピレン基がより好ましい。ｎ（平均付加モル数）は、印刷性及び乾燥性の向上、及び、臭いの低減の点から、０．４〜１．８モルが好ましく、１．０〜１．６モルがより好ましい。なお、オキシアルキレン基の由来であるアルキレンオキサイドが付加される前のアルコール（Ｒ1ＯＨ）の好ましい形態は前述のとおりである。
【００１７】
また、本発明の有機溶剤組成物におけるアルキレンオキサイド付加物は、１種類でもよく２種類以上の組合せであってもよい。
【００１８】
アルキレンオキサイド付加物の製造は、前記アルコールへアルキレンオキサイドを付加ことで製造できる。アルキレンオキサイドの付加は、定法に従い行うことができる。アルキレンオキサイドの付加の一実施形態としては、例えば、特開平４−３２１６３７にあるようにオートクレーブ中で、アルコールと触媒として水酸化カリウムを添加し、アルキレンオキサイドを仕込んで反応させる方法が挙げられる。
【００１９】
本発明において、アルキレンオキサイド付加物の製造に用いる前記アルコールは、環境保全や作業環境の向上の観点から、植物油から製造されたものであることが好ましい。前記植物油としては、ヤシ油、パーム油、カカオ油、オリーブ油、コーン油、これらの混合物、又はこれらの廃食油が挙げられる。前記廃食油は、例えば、飲食物の製造に使用された油を含む。これらの植物油からアルコールを製造することは、当業者であれば定法に従って適宜行うことができる。
【００２０】
［アルコール］
本発明の有機溶剤組成物は、炭素数４〜１８のアルコール、及び／又はアルコール成分とカルボン酸成分とから構成される合計炭素数２〜１２のエステルとを含有する。前記アルコールの炭素数は、印刷性及び乾燥性の向上の点から、６〜１４が好ましく、８〜１４がより好ましく、１０〜１２がさらに好ましい。前記アルコールとしては、印刷性及び乾燥性の向上の点から、ブチルアルコール、ヘキシルアルコール、オクチルアルコール、デシルアルコール、ラウリルアルコール、ミリスチルアルコール、パルミチルアルコール、ステアリルアルコール、オレイルアルコール、及びこれらの混合物が好ましく、有機溶剤の乾燥性及び臭い低減の点から、デシルアルコール、及びラウリルアルコールが好ましい。
【００２１】
前記アルコールは、環境保全や作業環境の向上の観点から、植物油から製造されたものであることが好ましい。前記植物油としては、前述の同様の植物油が挙げられる。
【００２２】
［エステル］
本発明の有機溶剤組成物は、炭素数４〜１８のアルコール、及び／又はアルコール成分とカルボン酸成分とから構成される合計炭素数２〜１２のエステルとを含有する。前記エステルの合計炭素数は、印刷性及び乾燥性の向上の点から、４〜１１が好ましく、５〜１０がより好ましい。前記エステルは、一実施形態として、下記式（ＩＩ）で表されるものであってもよい。
R2-COO-R3    （ＩＩ）
［前記式（ＩＩ）において、Ｒ2は、水素原子、又は、ヒドロキシ若しくは炭素数１〜４のアルコキシ基で置換されてもよい炭素数１〜１０のアルキル若しくは炭素数２〜１０のアルケニル基を表し、Ｒ3は、炭素数１〜６のアルキル基を表す。］
【００２３】
前記式（ＩＩ）において、Ｒ2は、印刷性及び乾燥性の向上の点から、ヒドロキシ基で置換されてもよい炭素数２〜１０のアルキル又はアルケニル基がより好ましく、ヒドロキシ基で置換されてもよい炭素数２〜８のアルキル又はアルケニル基がさらに好ましく、ヒドロキシ基で置換されてもよい炭素数２〜６のアルキル又はアルケニル基がさらにより好ましい。Ｒ2におけるヒドロキシ基若しくは炭素数１〜４のアルコキシ基の置換数は特に制限されず、例えば、１、２、又は３個が挙げられる。また、Ｒ2におけるアルキル又はアルケニル基は、直鎖状又は分枝鎖状であってもよい。
【００２４】
上記式（ＩＩ）において、Ｒ3の炭素数は、印刷性及び乾燥性の向上の点から、１〜４が好ましく、２〜４がより好ましい。
【００２５】
前記エステルは、具体的には、有機溶剤組成物の乾燥性の点から、酢酸エチル、プロピオン酸エチル、乳酸エチル、及び乳酸ブチルが好ましく、乳酸エチル、乳酸ブチルがより好ましい。
【００２６】
前記エステルを、カルボキシル基を有する化合物（以下、カルボン酸化合物という）及びアルコールから製造する場合、環境保全や作業環境の向上の観点から、前記カルボン酸化合物及び／又は前記アルコールは、植物油から製造されたものであることが好ましい。前記植物油としては、前述の同様の植物油が挙げられる。また、前記乳酸については、トウモロコシ、さつまいも、米、小麦、ジャガイモなどに由来するでんぷんから乳酸を製造してもよく、その製造方法としては、例えば、１５１０７の化学商品（化学工業日報社）記載の方法が挙げられる。
【００２７】
また、本発明の有機溶剤組成物における、前記アルコール及び前記エステルは、それぞれ、１種類でもよく２種類以上の組合せであってもよく、前記アルコール及び前記エステルの一方でもよく、これらの組合せでもよい。
【００２８】
本発明の有機溶剤組成物において、前記アルキレンオキサイド付加物の含有量（重量％）と、前記アルコール及び前記エステルの合計の含有量（重量％）との比（前記アルキレンオキサイド付加物）／（前記アルコール及び前記エステルの合計）は、印刷性及び乾燥性の向上、及び、臭いの低減の点から、９５／５〜４０／６０が好ましく、９２／８〜４５／５５がより好ましく、８５／１５〜４８／５２がさらに好ましく、７５／２５〜４８／５２がよりさらに好ましい。
【００２９】
本発明の有機溶剤組成物において、前記アルキレンオキサイド付加物と、前記アルコール及び／又は前記エステルとの合計の含有量は、印刷性及び乾燥性の向上の点から、５０重量％以上が好ましく、７０重量％以上がより好ましく、９０重量％以上がさらに好ましく、９９重量％上がさらよりに好ましく、９９．９重量％以上がさらにより好ましい。
【００３０】
［印刷インキ用有機溶剤組成物の製造方法］
本発明の有機溶剤組成物は、前記アルキレンオキサイド付加物と前記アルコール及び／又は前記エステルとを混合することで製造できる。前記混合は、印刷性及び乾燥性向上の点から、スターラーやディスパー等の撹拌器により撹拌することが好ましい。回転数は、印刷性及び乾燥性向上の点から、５０〜３００ｒｐｍが好ましく、１００〜２５０ｒｐｍがより好ましい。混合時間は、印刷性及び乾燥性向上の点から、０．５〜１５分間が好ましく、２〜１０分間がより好ましい。混合時における系内の温度（混合物の濃度）は、印刷性及び乾燥性向上の点から、好ましくは１５〜５０℃、より好ましくは２０〜４０℃に調節することが好ましい。
【００３１】
［印刷インキ用有機溶剤組成物］
本発明の有機溶剤組成物は、本発明の有機溶剤組成物の製造方法により製造され得る。本発明の有機溶剤組成物は、環境保全や作業環境の向上の観点から、植物油由来原料を使用することが好ましく、石油系溶剤を含まないことがより好ましい。本発明の有機溶剤組成物によれば、好ましくは、乾燥性が向上した印刷インキを製造できる。
【００３２】
本発明の有機溶剤組成物の完全分解温度（後述する）としては、有機溶剤組成物の乾燥性の点から、２３０℃以下が好ましく、２２５℃がより好ましく、２２０℃以下がさらに好ましく、２１５℃以下がさらに好ましい。また、印刷性の点からは、１４０℃以上が好ましく、１５０℃以上がより好ましい。したがって、印刷性及び乾燥性からは、１４０〜２３０℃が好ましく、１４０〜２２５℃がより好ましく、１５０〜２２０℃がさらに好ましく、１５０〜２１５℃がさらにより好ましい。また、本発明の有機溶剤組成物の前記アルキレンオキサイド付加物と前記アルコール及び／又は前記エステルとを本発明の有機溶剤組成物における含有量比で含む混合物を調製した場合、前記混合物の完全分解温度も、前述と同様の範囲であることが好ましい。
【００３３】
［完全分解温度］
本発明において、完全分解温度とは、熱重量測定法（加熱減量法）（Ｔｈｅｒｍｏｇｒａｖｉｍｅｔｒｙ、以下、本明細書において、「ＴＧ法」ともいう）で測定される温度である。ＴＧ法は、熱分析の中でも定量性に優れ、空気温度の上昇によるサンプルの重量変化を温度（又は時間）に対して記録する方法であり、この記録を表す曲線をＴＧ曲線という。本発明において、完全分解温度とは、サンプルが完全に消失した（ＴＧ曲線が０になった）ときの温度をいう。完全分解温度は、具体的には、実施例に記載する方法で測定できる。
【００３４】
前記アルキレンオキサイド付加物の完全分解温度としては、印刷性の点から、２１０〜３００℃が好ましく、２１５〜２８５℃がより好ましく、２１５〜２６０℃がさらに好ましい。また、前記アルコール及び／又は前記エステルの完全分解温度としては、乾燥性の点から、１００〜２２０℃が好ましく、１１０〜２０８℃がより好ましく、１１０〜２００℃がさらに好ましい。完全分解温度は、例えば、前記アルキレンオキサイド付加物におけるアルキレンオキサイドの付加数を増加したり、アルキル鎖を長くしたりして高温の方へ調節できる。逆にアルキル鎖を短くするなどすれば、完全分解温度を低くするように調節できる。このような調節を行うことで、本発明の有機溶剤組成物の完全分解温度を調節できる。
【００３５】
また、本発明の有機溶剤組成物に含まれる前記アルキレンオキサイド付加物の完全分解温度は、前記アルコール及び／又は前記エステルの完全分解温度よりも高温であることがこのましく、その差は、各溶剤の相溶性、印刷性の観点から、３５〜９５℃が好ましく、４５〜７５℃がより好ましい。
【００３６】
［印刷インキ］
本発明の印刷インキは、本発明の有機溶剤組成物を含み、それゆえ、前記アルキレンオキサイド付加物、並びに、前記アルコール及び／又は前記エステルを含む。本発明の印刷インキは、例えば、本発明の有機溶剤組成物と樹脂と色素とを混合する工程を含む製造方法によって製造されうる。
【００３７】
本発明の印刷インキにおける、前記アルキレンオキサイド付加物の含有量（重量％）と、前記アルコール及び前記エステルの合計の含有量（重量％）との比（前記アルキレンオキサイド付加物）／（前記アルコール及び前記エステルの合計）は、印刷性及び有機溶剤の乾燥性の向上の点から、９５／５〜４０／６０が好ましく、９２／８〜４５／５５がより好ましく、８５／１５〜４８／５２がさらに好ましく、７５／２５〜４８／５２がよりさらに好ましい。さらに、本発明の印刷インキにおける、前記アルキレンオキサイド付加物と前記アルコール及び／又は前記エステルとの合計の含有量は、印刷性及び乾燥性の向上の点から２５〜４５重量％が好ましく、２８〜４２重量％がより好ましく、３１〜３９重量％がさらに好ましい。
【００３８】
前記色素としては、有機又は無機の顔料を単独又は２種類以上混合して用いることができる。また、前記樹脂としては、例えば、熱硬化性樹脂、放射線硬化性樹脂、及び熱可塑性樹脂を含む透明樹脂、その前駆体又はそれらの混合物が挙げられる。
【実施例】
【００３９】
［有機溶剤組成物の調製］
実施例１〜８、参考例１〜２、及び比較例１〜５の有機溶剤組成物を以下のように調製した。
【００４０】
［実施例１〜５］
炭素数が１２及び１４である植物油由来のアルコール混合物（商品名：カルコール２４７０、Ｃ12Ｈ25ＯＨ／Ｃ14Ｈ29ＯＨ＝７０／３０モル％、花王社製）にプロピレンオキサイド（ＰＯ）が付加したＣ１２／Ｃ１４アルコール（ＰＯ）１モル付加物（前記アルコールに対するＰＯの平均付加モル数は、１．０、花王社製）、及び、植物油由来の乳酸を用いて得られた乳酸ブチル（武蔵野化学研究所社製）を、下記表１に示す比率で混合し、３０℃、２００ｒｐｍで５分間撹拌混合し、実施例１〜５の有機溶剤組成物を調製した。
【００４１】
［実施例６〜８］
炭素数が１２である植物油由来のアルコール（商品名：カルコール２０９８、Ｃ12Ｈ25ＯＨ＝１００モル％、花王社製）にＰＯが付加したＣ１２アルコール（ＰＯ）１モル付加物（前記アルコールに対するＰＯの平均付加モル数は、１．０、花王社製）、及び、炭素数が１２である植物油由来のアルコール（商品名：カルコール２０９８、花王社製）を、１リットルの混合器（商品名：パイレックス（登録商標）ビーカー、イワキガラス社製）に両者の合計量が５００ｇで、かつ、下記表１の混合比になるようにして添加し、３０℃、２００ｒｐｍで５分間撹拌混合し、実施例６〜８の有機溶剤組成物を調製した。
【００４２】
［参考例１、２］
実施例１〜５のＣ１２／Ｃ１４アルコール（ＰＯ）１モル付加物、及び実施例６〜８のＣ１２アルコール（ＰＯ）１モル付加物を、それぞれ、参考例１及び２の有機溶剤組成物として使用した（下記表１）。
【００４３】
［比較例１］
乳酸ブチルに替えてオクチルアミン（商品名：ファーミン０８、花王社製）とした他は実施例３と同様にして有機溶剤組成物を調製した（下記表１）。
【００４４】
［比較例２］
ジエチレングリコールモノエチルエーテルアセテート（試薬：和光純薬工業社製）、及び、植物油由来の乳酸を用いて得られた乳酸エチル（試薬：和光純薬工業社製）を、下記表１に示す比率で混合し、３０℃、２００ｒｐｍで５分間撹拌混合し、比較例４の有機溶剤組成物を調製した。
【００４５】
［比較例３〜５］
イソオレイン酸２−エチルヘキシルエステル（アルドリッチ試薬製）、リノール酸ブチルエステル（試薬：シグマ アルドリッチ ジャパン社製）、及びカプロン酸３，５，５−トリメチルヘキシルエステル（試薬：シグマ アルドリッチ ジャパン社製）を、それぞれ、比較例３、４、及び５の有機溶剤組成物として使用した（下記表１）。
【００４６】
［有機溶剤組成物の評価］
実施例１〜８、参考例１〜２、及び比較例１〜５の有機溶剤組成物について、下記条件の熱重量測定法（ＴＧ法）により完全分解温度を測定した。また、下記の条件で乾燥試験を行った。これらの結果を下記表１に示す。
【００４７】
〔完全分解温度の測定〕
完全分解温度は、ＴＧ法（Ｔｈｅｒｍｏｇｒａｖｉｍｅｔｒｙ）により測定した。具体的には、下記装置及び条件で測定を開始し、有機溶剤組成物が完全に分解消失した温度（サンプル量が０ｍｇになった温度）を完全分解温度とした。
装置：セイコーインスツルメント社製  ＴＧ／ＤＴＡ２００
測定サンプル量：１５ｍｇ
開始温度：３０℃
昇温速度：５℃／分
空気流量：２００ｍＬ／分
【００４８】
〔乾燥試験〕
実施例１〜８、参考例１〜２、及び比較例１〜５の有機溶剤組成物をＰＥＴフィルム上にアプリケーター（安田精機製作所社製）で厚さ１００μｍに塗布し、２５℃、５０％ＲＨの恒温恒湿室に静置し、完全に乾燥するまでの時間を測定した。
【００４９】
【表１】
2010235775.tif 000002
【００５０】
上記表１に示すとおり、実施例１〜８の有機溶剤は、参考例１〜２及び比較例１〜５の有機溶剤よりも乾燥時間が短く、乾燥性に優れていた。したがって、本発明の印刷インキ用有機溶剤を使用した印刷インキは、乾燥性に優れることが期待できる。
【産業上の利用可能性】
【００５１】
本発明は、例えば、印刷インキ及びそれも用いる印刷の分野で有用である。